(57)【要約】【課題】  部品点数を増やすことなく、往復差を低減し、高精度の光量調整ができる絞り装置を提供する。【解決手段】  絞り装置は、回転中心部材と駆動ピンが固定された複数の絞り羽根と、前記絞り羽根が回転自在となるように前記回転中心部材を支持する支持部材と、前記絞り羽根の前記駆動ピンが係合するカム溝を有するカム部材と、を備え、前記絞り装置に対して所定の方向が定義付けられ、前記絞り羽根それぞれは、該絞り羽根が駆動する際の該絞り羽根の重心の軌跡が、前記所定の方向に平行で該絞り羽根の回転中心を通る直線とは交わらない。【選択図】  図１
2016133627.tif 000002
【特許請求の範囲】
【請求項１】
回転中心部材と駆動ピンが固定された複数の絞り羽根と、
前記絞り羽根が回転自在となるように前記回転中心部材を支持する支持部材と、 
前記絞り羽根の前記駆動ピンが係合するカム溝を有するカム部材と、
を備えた絞り装置において、 
前記絞り装置に対して所定の方向が定義付けられ、
前記絞り羽根それぞれは、
該絞り羽根が駆動する際の該絞り羽根の重心の軌跡が、前記所定の方向に平行で該絞り羽根の回転中心を通る直線とは交わらない、
ことを特徴とする絞り装置。
【請求項２】
前記回転中心部材は前記絞り羽根に凸設されたピンであり、
該ピンは、前記支持部材に設けられた回転軸受け部と係合する、
ことを特徴とする請求項１に記載の絞り装置。
【請求項３】
前記支持部材は凸設されたピンを有し、
前記回転中心部材は、前記絞り羽根に設けられた回転軸受け部であり、
前記ピンと係合する、
ことを特徴とする請求項１に記載の絞り装置。
【請求項４】
通過光量を調整するため開口径を調整する光量調整領域から更に前記絞り羽根を回転させて開口面積をゼロとする機能を更に有し、
前記光量調整領域の外で開口面積をゼロとするまでの前記絞り羽根が駆動していく際の重心の軌跡が
前記所定の方向に平行で該絞り羽根の回転中心を通る直線と交わる、
ことを特徴とする請求項１乃至３のいずれか１項に記載の絞り装置。
【請求項５】
請求項１乃至４のいずれか一項に記載の絞り装置を備えるレンズ装置。
【請求項６】
前記絞り装置が前記レンズ装置に装着された状態において、前記所定の方向は、前記レンズ装置が所定の姿勢で使用される時の鉛直方向と平行である、ことを特徴とする請求項５に記載のレンズ装置。
【請求項７】
請求項５又は６に記載のレンズ装置と、該レンズ装置からの光を受光する撮像素子とを備えることを特徴とする撮像装置。
【発明の詳細な説明】
【技術分野】
【０００１】
本発明は撮影用レンズ装置に用いられる絞り装置に関し、特に回転操作によって絞り開口径が変化する絞り装置及びそれを有するレンズ装置及び撮像装置に関するものである。
【背景技術】
【０００２】
従来より、回転軸を備えた複数枚の絞り羽根を同一円周上に等角度間隔に配置し、絞り羽根の回転軸周りの回転によって絞り羽根内縁部の重なりで形成される絞り開口を変化させる絞り装置が知られている。このような絞り装置では、絞り羽根に回転中心ピンと駆動ピンが備えられており、固定位置に支持された回転中心ピンに対する駆動ピンの位置を、円板状のカム板に形成されたカム溝でガイドする構造が一般的である。
【０００３】
レンズ装置の光量調節機能は、指標値と絞り値の精度が高いことが望まれる。そのため絞り装置は、絞り値を開口側から閉口側へ変化させていく際と、閉口側から開口側へと変化させていく際とで、開口面積に差が少ないことが求められている。なお、本明細書においては、この差のことを往復差と記載する。
【０００４】
往復差を低減するため、特許文献１では板ばねを用いて絞り羽根を付勢し、駆動ピンとカム溝の間のガタをなくすことで絞り精度を向上させる構造が開示されている。また、特許文献２では絞り羽根の折り曲げ部を保持環等に押圧当接し、絞り羽根の弾性力で径合凸部とガイド溝の間のガタをなくすことで絞り精度を向上させる構造が開示されている。
【先行技術文献】
【特許文献】
【０００５】
【特許文献１】特開平６−２６５９７３号公報
【特許文献２】特開平６−１２３９０９号公報
【発明の概要】
【発明が解決しようとする課題】
【０００６】
しかしながら、特許文献１のような構造を絞り装置に適用すると、付勢機構を含めた絞り装置全体が複雑化、大型化するといった課題があった。また、上記の特許文献２の絞り装置のような構造を適用すると、弾性変形の影響により、開口形状が崩れたり、絞り羽根が塑性変形する危険もあった。
【課題を解決するための手段】
【０００７】
上記課題を解決するために、本発明の絞り装置は、
回転中心部材と駆動ピンが固定された複数の絞り羽根と、
前記絞り羽根が回転自在となるように前記回転中心部材を支持する支持部材と、前記絞り羽根の前記駆動ピンが係合するカム溝を有するカム部材と、
を備えた絞り装置において、 
前記絞り装置に対して所定の方向が定義付けられ、
前記絞り羽根それぞれは、
該絞り羽根が駆動する際の該絞り羽根の重心の軌跡が、前記所定の方向に平行で該絞り羽根の回転中心を通る直線とは交わらない、
ことを特徴とする絞り装置。
【発明の効果】
【０００８】
本発明によれば、部品点数を増やすことなく、絞り値を開口側と閉口側との間で操作する操作環の操作方向に依らず、操作環の位置と絞り値との関係の往復差を低減し、高精度の光量調整ができる絞り装置を提供することができる。
【図面の簡単な説明】
【０００９】
【図１】本発明の実施例１における絞り機構の分解斜視図である。
【図２】本発明の実施例１における絞り機構の縦断面図である。
【図３】本発明の実施例１における絞り羽根の駆動ピン側からの視図である。
【図４】本発明の実施例１における絞り羽根の組み合わせ図である。
【図５】本発明の実施例１における羽根支持筒(羽根支持部材)の図である。
【図６】本発明の実施例１におけるカム板の図である。
【発明を実施するための形態】
【００１０】
［実施例１］
以下に、本発明の実施の形態を、図１から図６に基づいて詳細に説明する。
【００１１】
本実施例の分解斜視図を図１に、縦断面図を図２に示す。絞り装置は図１に示すように絞り羽根支持筒（支持部材）１と、複数枚の絞り羽根２と、カム板（カム部材）３と、押え金具４によって構成される。図２に示すように複数枚の絞り羽根２は、カム板３と羽根支持筒１との間に挟持される。
【００１２】
図３に絞り羽根５の後述する駆動ピン５ｂが凸節された側からの視図を示す。絞り羽根５は、片側の面に回転中心ピン（回転中心部材）５ａが凸設され、対面側の面には駆動ピン５ｂが凸設されている。図４に複数枚の絞り羽根２を示す。絞り羽根は、絞り装置を駆動し、開口形状を変化させたときの各絞り羽根の重心５ｃの軌跡５ｄが、所定の方向と平行でそれぞれの回転中心ピン５ａの中心を通る直線と交わらないような羽根形状及び羽根の取り付け位置としている。ここで、所定の方向とは、レンズ装置に装着された際に、そのレンズ装置が通常使用される姿勢において鉛直方向となる方向が、絞り装置に対して予め定義付けられている方向である。
【００１３】
本実施例において複数枚の絞り羽根２は、６枚の絞り羽根５で構成され、図４に示すように交互に重なり合うように組み込まれている。図５に絞り羽根支持筒１を示す。回転中心ピン５ａは絞り羽根支持筒１に設けられた係合穴（回転軸受け部）１ａに回転（両方向の円運動）自在に係合している。
【００１４】
図６にカム板３を示す。複数枚の絞り羽根２の駆動ピン５ｂ側にはカム板３が、光軸中心ｏを中心に絞り羽根支持筒１に対して回転可能に連設されている。カム板３は、カム溝３ａを６本有し、各絞り羽根５の駆動ピン５ｂはカム溝３ａと係合している。ここで、光軸とは、本発明の絞り装置が装着・固定されるレンズ装置の光軸を指す用語である。絞り装置をレンズ装置に装着する場合、通常は、絞り羽根で形成される開口部の中心が装着されるレンズ装置の光軸と一致するように装着する。従って、本明細書の説明においては、光軸位置とは、絞り羽根で形成される開口部中心の位置と同義として扱うものとする。
【００１５】
上記構造により、絞り羽根支持筒１に対してカム板３を光軸中心ｏ周りに回転させると、絞り羽根５の駆動ピン５ｂがカム溝３ａに案内される。それにより、絞り羽根５が回転中心ピン５ａを軸として回転することとなる。
【００１６】
このように、開口形状を変化させたときの各絞り羽根の重心の軌跡が、前記所定の方向と平行でそれぞれの回転中心ピンの中心を通る直線とは交わらない構成とすることで、各羽根に対し重力による各回転中心ピン５ａの中心まわりのモーメントの方向が動作領域内で常に一方向となる。これにより、各羽根の駆動ピンは通常の使用状態においては、図４に示す重力Ｇにより常にカム溝の一方の壁３ｂに沿って駆動するため、嵌合ガタに起因する絞りの往復差を低減できる。
【００１７】
この効果は各絞り羽根の重心の軌跡が、前記所定の方向と平行でそれぞれの回転中心ピンの中心を通る直線と交わらないという関係を満たしていれば、絞り機構に構成される絞り羽根の枚数に関わらず有効である。
【００１８】
また、絞り装置が開口面積をゼロにして遮光するクローズ機能を有している場合、クローズから所定量、開放側への動作領域においては、重心の軌跡が、前記所定の方向と平行でそれぞれの羽根の回転中心ピンの中心を通る直線と交わってもよい。その場合、絞り装置の通過光量を調整する目的のために開口径を調整する光量調整領域においては、上記の構成によって開放側へと小絞り側への絞り装置の駆動時に指標値と絞り値との関係の往復差を低減することができる。光量調整領域から更に絞り羽根を回転させて開口面積をゼロとするまでのクローズ機能の動作領域において、クローズ近傍の小絞りの状態で撮影するケースはほとんどなく、絞り羽根が駆動していく際、この領域で、絞り操作環の位置（指標値）と絞り値との関係の往復差を低減して高精度に光量調整（開口面積の調整）をするニーズはないので、このように構成することで、絞り装置の設計の自由度を増やすことができる。
【００１９】
また、実施例においては、絞り羽根２に回転中心ピンが凸設して設けられ、この回転中心ピンが、絞り羽根支持筒１の係合穴１ａに係合する構成としたが、本発明はこれに限定されることはない。絞り羽根支持筒１に回転中心ピンが設けられ、その回転中心ピンが絞り羽根に設けられた回転中心孔（回転軸受け部）に係合するように構成しても同様の効果を享受することができる。
【００２０】
また、本発明の絞り装置を有するレンズ装置、そして、レンズ装置とレンズ装置からの光を受光する撮像素子を備える撮像装置において、絞り指標値と絞り値との関係の往復差を低減して高精度の光量調整を可能とする。絞り装置がレンズ装置に装着された状態において、予め絞り装置に設定されている所定の方向が、レンズ装置が通常撮影の所定の姿勢で使用される際の鉛直方向となるように、本発明の絞り装置はレンズ装置に固定される。
【００２１】
以上、本発明の好ましい実施形態について説明したが、本発明はこれらの実施形態に限定されず、その要旨の範囲内で種々の変形及び変更が可能である。
【符号の説明】
【００２２】
１：絞り羽根支持筒（支持部材）
２：絞り羽根
３：カム板（カム部材）
３ａ：カム溝
５：絞り羽根
５ａ：回転中心ピン（回転中心部材）
５ｂ：駆動ピン
５ｃ：重心
５ｄ：重心の軌跡
【図１】
2016133627.tif 000003
【図２】
2016133627.tif 000004
【図３】
2016133627.tif 000005
【図４】
2016133627.tif 000006
【図５】
2016133627.tif 000007
【図６】
2016133627.tif 000008